(57)【要約】【課題】安価な光ピックアップ装置を用いても層間の薄い２層の光ディスクを良好に再生することが可能な光ディスク装置、フォーカス制御方法及び制御プログラムを提供する【解決手段】本発明に係る光ディスク装置、フォーカス制御方法及び制御プログラムは、ＦＥＳカーブから層間の薄い２層の光ディスクを判別し、層間の薄い２層の光ディスクの場合には予め取得された適正なフォーカスバランス値を用いてフォーカス制御を行う。従って、特殊な光ピックアップ装置７０や特別な回路を用いなくとも層間の薄い２層の光ディスクを良好に再生することができる。【選択図】図２
2012069212.tif 000002
【特許請求の範囲】
【請求項１】
光ディスクで反射した戻り光の検出値を出力する光ピックアップ装置と、
前記戻り光の検出値に基づいて前記光ピックアップ装置が実行するフォーカス動作を制御する制御部と、
前記光ディスクが、表層側の第１の情報層と、前記第１の情報層よりも奥側の第２の情報層とを少なくとも有する光ディスクの場合、その光ディスクにおけるフォーカスエラー信号カーブの第１の情報層に対応する部分と第２の情報層に対応する部分それぞれのプラス側最大レベルとマイナス側最大レベルとを取得し、その第１の情報層及び第２の情報層のプラス側最大レベルとマイナス側最大レベルに基づいて求められる、第１の情報層のフォーカスエラー信号カーブバランス値と第２の情報層のフォーカスエラー信号カーブバランス値との差が所定の閾値を超えるという条件、および、第２の情報層のフォーカスエラー信号カーブバランス値が所定の閾値に満たないという条件のうちの、少なくとも一方の条件を満たすか否かを判別する判別部と、
を有し、
前記制御部は、前記判別部の判別結果に応じて異なるフォーカスバランス値を選択し、そのフォーカスバランス値を用いてフォーカス制御を行うことを特徴とする光ディスク装置。
【請求項２】
前記判別部は、さらに、第１の情報層のプラス側最大レベルと第２の情報層のプラス側最大レベルとの比が所定の閾値を超えるか否かを判別することを特徴とする請求項１記載の光ディスク装置。
【請求項３】
前記制御部は、前記判別部の判別結果に応じて異なるパターンのフォーカス駆動信号を選択し、そのフォーカス駆動信号用いて、第１の情報層と第２の情報層との間で焦点位置を移動させるフォーカスジャンプ制御を行うことを特徴とする請求項１または請求項２記載の光ディスク装置。
【請求項４】
表層側の第１の情報層と、前記第１の情報層よりも奥側の第２の情報層とを少なくとも有する光ディスクに対するフォーカス制御方法において、
前記光ディスクのフォーカスエラー信号カーブの第１の情報層に対応する部分と第２の情報層に対応する部分それぞれのプラス側最大レベルとマイナス側最大レベルとを取得するステップと、
第１の情報層及び第２の情報層のプラス側最大レベルとマイナス側最大レベルに基づいて求められる第１の情報層のフォーカスエラー信号カーブバランス値と第２の情報層のフォーカスエラー信号カーブバランス値との差が所定の閾値を超えるという条件、および、第２の情報層のフォーカスエラー信号カーブバランス値が所定の閾値に満たないという条件のうちの、少なくとも一方の条件を満たすか否かを判別する判別ステップと、
前記判別ステップにおける判別結果に応じて異なるフォーカスバランス値を選択し、そのフォーカスバランス値を用いてフォーカス制御を行う制御ステップと、
を有することを特徴とするフォーカス制御方法。
【請求項５】
表層側の第１の情報層と前記第１の情報層よりも奥側の第２の情報層とを少なくとも有する光ディスクのフォーカス制御を行うコンピュータの制御プログラムにおいて、
前記コンピュータに、
前記光ディスクのフォーカスエラー信号カーブの第１の情報層に対応する部分と第２の情報層に対応する部分それぞれのプラス側最大レベルとマイナス側最大レベルとを取得するステップと、
第１の情報層及び第２の情報層のプラス側最大レベルとマイナス側最大レベルに基づいて算出される第１の情報層のフォーカスエラー信号カーブバランス値と第２の情報層のフォーカスエラー信号カーブバランス値との差が所定の閾値を超えるという条件、および、当該第２の情報層のフォーカスエラー信号カーブバランス値が所定の閾値に満たないという条件のうちの、少なくとも一方の条件を満たすか否かを判別する判別ステップと、
前記判別ステップにおける判別結果に応じて異なるフォーカスバランス値を選択し、そのフォーカスバランス値を用いてフォーカス制御を行う制御ステップと、
を実行させることを特徴とする制御プログラム。
【発明の詳細な説明】
【技術分野】
【０００１】
本発明は、情報層を少なくとも２層有する光ディスクに対して良好なデータ再生が可能な光ディスク装置、フォーカス制御方法及び制御プログラムに関するものである。
【背景技術】
【０００２】
音響データ、画像データ、その他各種デジタルデータの記録媒体として、レーザ光を照射して情報の記録再生を行う光ディスクが広く普及している。これら光ディスクとしてはＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等が挙げられる。また、データの記録が可能な光ディスクとしてＣＤ−Ｒ、ＣＤ−ＲＷ、ＤＶＤ−Ｒ、ＤＶＤ−ＲＷ、ＢＤ−ＲＥ等が挙げられる。これら光ディスクでは記録容量の増大のため情報層を複数有するものが存在する。このような光ディスクの例としては、情報層を片面に２層備えたＤＶＤ−ＤＬ（Ｄｉｇｉｔａｌ  Ｖｅｒｓａｔｉｌｅ  Ｄｉｓｃ−Ｄｕａｌ  Ｌａｙｅｒ）が挙げられる。
【０００３】
通常、光ディスク装置に光ディスクが投入されると、投入された光ディスクの種類の判別や合焦位置の取得のために、表面側（レーザ側）から奥側へと焦点位置を連続的に変化させつつレーザ光を照射して投入された光ディスクのＦＥ（ｆｏｃｕｓ  ｅｒｒｏｒ）信号の波形のカーブ（フォーカスエラー信号カーブ、以後、ＦＥＳカーブとする）を取得する。ここで、情報層間が十分に広い通常の片面２層ＤＶＤのＦＥＳカーブを図６に示す。情報層間が十分に広い片面２層ＤＶＤのＦＥＳカーブは表面側の第１の情報層であるレイヤＬ０に対応するＦＥＳカーブの部分と奥側の第２の情報層であるレイヤＬ１に対応するＦＥＳカーブの部分とが独立しており、それぞれの情報層によるＦＥＳカーブが２つ連続したものとなる。この図６のようなＦＥＳカーブが取得できる場合、通常の手順でフォーカス制御等を行うことができる。
【０００４】
なお、市場に出回っている大部分のディスクのレイヤＬ０とレイヤＬ１との間の距離は規格で定められている範囲の中心値付近のディスクが多い。ただし、そのような通常の２層の光ディスクよりも、レイヤＬ０とレイヤＬ１との間の距離が近い２層ＤＶＤも存在し、このような層間の薄い２層ＤＶＤでは、隣接するレイヤからの反射光が重なってレイヤＬ０、レイヤＬ１間のＦＥ信号レベルが低い図３に示すようなＦＥＳカーブとなる場合がある。このようなＦＥＳカーブでは、特に第２の情報層であるレイヤＬ１のフォーカス制御に不具合が生じ正常なデータ再生が行えない可能性がある。
【０００５】
ここで、下記［特許文献１］では、主受光領域に加え補助受光領域を備えることで隣接する情報層からの反射光の影響を軽減し、情報層間の薄い多層の光ディスクにおいても良好なフォーカス制御を行うことが可能な光ピックアップ装置に関する発明が開示されている。
【先行技術文献】
【特許文献】
【０００６】
【特許文献１】特開２０００−５７５９２号公報
【発明の概要】
【発明が解決しようとする課題】
【０００７】
しかしながら、［特許文献１］に開示された発明では受光領域の分割数、即ちセル数が多くなりコストが増大するという問題点がある。
【０００８】
本発明は上記事情に鑑みてなされたものであり、安価な光ピックアップ装置を用いても層間の薄い２層の光ディスクを良好に再生することが可能な光ディスク装置、フォーカス制御方法及び制御プログラムを提供することを目的とする。
【課題を解決するための手段】
【０００９】
本発明は、
（１）光ディスクＤで反射した戻り光の検出値を出力する光ピックアップ装置７０と、
前記戻り光の検出値に基づいて前記光ピックアップ装置７０が実行するフォーカス動作を制御する制御部６１と、
前記光ディスクＤが、表層側の第１の情報層（レイヤＬ０）と、前記第１の情報層よりも奥側の第２の情報層（レイヤＬ１）とを少なくとも有する光ディスクＤの場合、その光ディスクＤにおけるフォーカスエラー信号カーブ（ＦＥＳカーブ）の第１の情報層に対応する部分と第２の情報層に対応する部分それぞれのプラス側最大レベル（ＦＥＬ０（＋）、ＦＥＬ１（＋））とマイナス側最大レベル（ＦＥＬ０（−）、ＦＥＬ１（−））とを取得し、その第１の情報層及び第２の情報層のプラス側最大レベルとマイナス側最大レベルに基づいて求められる、第１の情報層のフォーカスエラー信号カーブバランス値ＳＢＡＬ（Ｌ０）と第２の情報層のフォーカスエラー信号カーブバランス値ＳＢＡＬ（Ｌ１）との差が所定の閾値Ａを超えるという条件、および、第２の情報層のフォーカスエラー信号カーブバランス値ＳＢＡＬ（Ｌ１）が所定の閾値Ｂに満たないという条件のうちの、少なくとも一方の条件を満たすか否かを判別する判別部６１ａと、を有し、
前記制御部６１は、前記判別部６１ａの判別結果に応じて異なるフォーカスバランス値を選択し、そのフォーカスバランス値を用いてフォーカス制御を行うことを特徴とする光ディスク装置６０を提供することにより、上記課題を解決する。
（２）前記判別部６１ａは、さらに、第１の情報層のプラス側最大レベルＦＥＬ０（＋）と第２の情報層のプラス側最大レベルＦＥＬ１（＋）との比が所定の閾値Ｃを超えるか否かを判別することを特徴とする上記（１）記載の光ディスク装置６０を提供することにより、上記課題を解決する。
（３）前記制御部６１は、前記判別部６１ａの判別結果に応じて異なるパターンのフォーカス駆動信号を選択し、そのフォーカス駆動信号を用いて、第１の情報層と第２の情報層との間で焦点位置を移動させるフォーカスジャンプ制御を行うことを特徴とする上記（１）または（２）記載の光ディスク装置６０を提供することにより、上記課題を解決する。
（４）表層側の第１の情報層（レイヤＬ０）と、前記第１の情報層よりも奥側の第２の情報層（レイヤＬ１）とを少なくとも有する光ディスクＤに対するフォーカス制御方法において、
前記光ディスクＤのフォーカスエラー信号カーブ（ＦＥＳカーブ）の第１の情報層に対応する部分と第２の情報層に対応する部分それぞれのプラス側最大レベル（ＦＥＬ０（＋）、ＦＥＬ１（＋））とマイナス側最大レベル（ＦＥＬ０（−）、ＦＥＬ１（−））とを取得するステップＳ１０６と、
第１の情報層及び第２の情報層のプラス側最大レベルとマイナス側最大レベルに基づいて求められる第１の情報層のフォーカスエラー信号カーブバランス値ＳＢＡＬ（Ｌ０）と第２の情報層のフォーカスエラー信号カーブバランス値ＳＢＡＬ（Ｌ１）との差が所定の閾値Ａを超えるという条件、および、第２の情報層のフォーカスエラー信号カーブバランス値ＳＢＡＬ（Ｌ１）が所定の閾値Ｂに満たないという条件のうちの、少なくとも一方の条件を満たすか否かを判別する判別ステップＳ１０８と、
前記判別ステップＳ１０８における判別結果に応じて異なるフォーカスバランス値を選択し、そのフォーカスバランス値を用いてフォーカス制御を行う制御ステップと、
を有することを特徴とするフォーカス制御方法を提供することにより、上記課題を解決する。
（５）表層側の第１の情報層（レイヤＬ０）と前記第１の情報層よりも奥側の第２の情報層（レイヤＬ１）とを少なくとも有する光ディスクＤのフォーカス制御を行うコンピュータの制御プログラムにおいて、
前記コンピュータに、
前記光ディスクＤのフォーカスエラー信号カーブ（ＦＥＳカーブ）の第１の情報層に対応する部分と第２の情報層に対応する部分それぞれのプラス側最大レベル（ＦＥＬ０（＋）、ＦＥＬ１（＋））とマイナス側最大レベル（ＦＥＬ０（−）、ＦＥＬ１（−））とを取得するステップＳ１０６と、
第１の情報層及び第２の情報層のプラス側最大レベルとマイナス側最大レベルに基づいて算出される第１の情報層のフォーカスエラー信号カーブバランス値ＳＢＡＬ（Ｌ０）と第２の情報層のフォーカスエラー信号カーブバランス値ＳＢＡＬ（Ｌ１）との差が所定の閾値Ａを超えるという条件、および、当該第２の情報層のフォーカスエラー信号カーブバランス値ＳＢＡＬ（Ｌ１）が所定の閾値Ｂに満たないという条件のうちの、少なくとも一方の条件を満たすか否かを判別する判別ステップＳ１０８と、
前記判別ステップにおける判別結果に応じて異なるフォーカスバランス値を選択し、そのフォーカスバランス値を用いてフォーカス制御を行う制御ステップと、
を実行させることを特徴とする制御プログラムを提供することにより、上記課題を解決する。
【発明の効果】
【００１０】
本発明によれば、安価な光ピックアップ装置であっても層間の薄い２層の光ディスクを良好に再生することができる。
【図面の簡単な説明】
【００１１】
【図１】本発明に係る光ディスク装置の概略構成図である。
【図２】本発明に係る光ディスク装置、フォーカス制御方法及び制御プログラムの動作を説明するフローチャートである。
【図３】層間の薄い２層ＤＶＤのＦＥＳカーブの例を示す図である。
【図４】第２情報層におけるフォーカスバランス値とデジタルジッタの関係を示すグラフである。
【図５】通常の２層ＤＶＤにおけるＦＥ信号とフォーカスジャンプ時のフォーカス駆動信号を示すタイミングチャートである。
【図６】通常の２層ＤＶＤのＦＥＳカーブの例を示す図である。
【発明を実施するための形態】
【００１２】
本発明に係る光ディスク装置、フォーカス制御方法及び制御プログラムについて図面に基づいて説明する。
【００１３】
先ず、本発明に係る光ディスク装置６０の各部の動作を簡単に説明する。図１は本発明に係る光ディスク装置６０の概略構成図である。尚、図１において本願に直接関係のない部分に関しては詳細な説明は省略するものとする。
【００１４】
図１に示す光ディスク装置６０には、光ディスクＤを載置して着脱可能にクランプするターンテーブル６３が設置されている。ターンテーブル６３はスピンドルモータ６２の回転軸に固定され、スピンドルモータ６２はスピンドルモータ駆動回路６５を介して行われる制御部６１の指示により所定の回転数で回転する。これにより、ターンテーブル６３にクランプされた光ディスクＤも所定の回転数で回転する。
【００１５】
光ディスクＤの下方には、光ピックアップ装置７０が設けられている。この光ピックアップ装置７０はスレッドモータ６７に接続されており、制御部６１がスレッドモータ駆動回路６６を介してスレッドモータ６７を回転制御することで、光ピックアップ装置７０が光ディスクＤの半径方向に移動する。
【００１６】
光ピックアップ装置７０は、対応する光ディスクＤに応じたレーザ光源７２を有している。尚、複数種の光ディスクＤに対応可能な光ピックアップ装置７０ではレーザ光源７２も複数有している。そして、制御部６１がレーザー駆動回路８４を介して駆動指示を与えるとレーザ光源７２は所定波長のレーザ光を出射する。出射したレーザ光はコリメータレンズ７３で平行光に変換された後、ビームスプリッタ７５を通して、λ／４板７６で円偏光に変換され、対物レンズ７８に入射して光ディスクＤの情報層に集光、照射される。照射されたレーザ光は、光ディスクＤの情報層で反射され戻り光として、対物レンズ７８、λ／４板７６を通ってビームスプリッタ７５に到達する。ビームスプリッタ７５に到達した戻り光はここで反射され、検出レンズ８１、シリンドリカルレンズ８２を通して多分割型フォトディテクタ８３に入射する。多分割型フォトディテクタ８３は、戻り光を検出する複数の受光領域を有しており、多分割型フォトディテクタ８３で検出された検出値は、トラッキング制御系を構成するＴＥ（トラッキングエラー）信号検出回路８６、フォーカス制御系を構成するＦＥ信号検出回路９０、及び、ＲＦ信号処理回路９６に出力される。ＴＥ信号検出回路８６は周知のＤＰＤ（Ｄｉｆｆｅｒｅｎｔｉａｌ  Ｐｈａｓｅ  Ｄｅｔｅｃｔｉｏｎ：位相差トラッキング）法等に基づいて演算処理を行いトラッキングエラー信号ＴＥをＡ／Ｄ変換器を介して制御部６１に出力する。制御部６１はこのトラッキングエラー信号ＴＥに基づいてトラッキング制御駆動信号ＴＤを生成し、Ｄ／Ａ変換器を介してトラッキングドライブ回路８９に出力する。トラッキングドライブ回路８９はトラッキング制御駆動信号ＴＤに基づいてトラッキングコイル７９を制御し、これにより対物レンズ７８が移動して光ディスクＤに対するトラッキング制御が行われる。
【００１７】
また、ＦＥ信号検出回路９０は多分割型フォトディテクタ８３からの出力信号を受けて周知の非点収差法等に基づいて演算処理を行いフォーカスエラー信号ＦＥをＡ／Ｄ変換器を介して制御部６１に出力する。制御部６１はこのフォーカスエラー信号ＦＥに基づいてフォーカス制御駆動信号ＦＤを生成し、Ｄ／Ａ変換器を介してフォーカスドライブ回路９３に出力する。フォーカスドライブ回路９３はこのフォーカス制御駆動信号ＦＤに基づいてフォーカスコイル８０を制御し、これにより対物レンズ７８が移動（フォーカス動作）して光ディスクＤに対するフォーカス制御が行われる。このフォーカス制御の際、再生品質の向上のためＦＥＳカーブに基づいて取得されたフォーカスバランス値が用いられる。尚、後述するように光ディスクＤが層間の薄い２層の光ディスクと判別された場合には、奥側の第２の情報層レイヤＬ１のフォーカス制御には予め設定されたフォーカスバランス値が用いられる。尚、フォーカスバランス値とは、特開2007-145273号公報にもその記載がある通り、周知の値である。
【００１８】
また、ＲＦ信号処理回路９６は多分割型フォトディテクタ８３からの出力信号を受けて、光ディスクＤの情報層に記録されたメインデータ信号ＲＦ（ＲＦ信号）を周知の演算処理により取得する。取得されたメインデータ信号ＲＦは図示しない再生部等に出力され画像や音声として出力される。
【００１９】
尚、制御部６１内には投入された光ディスクＤが層間の薄い２層の光ディスクであるか否かを判別する判別部６１ａと、光ディスクＤが層間の薄い２層の光ディスクと判別された場合に使用するフォーカスバランス値等が記録されたメモリ６１ｂと、を備えている。
【００２０】
尚、ここではトラッキング制御にＤＰＤ法を用いた例について説明を行っているが、トラッキング制御にはレーザ光をメインビームと２つのサブビームとに分割し、このサブビームの戻り光によりトラッキング制御を行う周知のＤＰＰ（Ｄｉｆｆｅｒｅｎｔｉａｌ  Ｐｕｓｈ  Ｐｕｌｌ）法を用いても良い。
【００２１】
次に、本発明に係る光ディスク装置、フォーカス制御方法及び制御プログラムの動作を図２のフローチャートを用いて説明する。尚、本発明の制御プログラムはコンピュータで主に構成される制御部６１及び判別部６１ａに対するものである。また、ここでは２層ＤＶＤを用いて説明を行うが、本願は２層ＤＶＤに限定されるものではなく、情報層を複数備えた光ディスクに対して適用が可能である。
【００２２】
先ず、光ディスクＤを所定の手順により光ディスク装置６０のターンテーブル６３上に装着する。これにより、光ディスクＤに対する起動処理が開始する（ステップＳ１００）。
【００２３】
起動処理が開始すると、制御部６１は光ディスクＤを回転させると伴にレーザ光を照射して光ディスクＤの種別を周知の光ディスク判別処理にて行う（ステップＳ１０２）。そして、投入された光ディスクＤが２層ＤＶＤ以外と判別された場合、その光ディスクＤに応じた次処理を行う（ステップＳ２００）。
【００２４】
また、ステップＳ１０２で投入された光ディスクＤが２層ＤＶＤと判別された場合、制御部６１の判別部６１ａは、投入された光ディスクＤのＦＥＳカーブを取得する（ステップＳ１０４）。尚、ステップＳ１０２の光ディスク判別処理で既にＦＥＳカーブが取得されている場合にはこのＦＥＳカーブを流用する。
【００２５】
ここで、投入された光ディスクＤが市場に出回っている通常の光ディスク（平均的な層間の光ディスク）よりも層間の薄い２層ＤＶＤである場合のＦＥＳカーブの例を図３（ａ）、（ｂ）に示す。図３（ａ）、（ｂ）に示すように層間の薄い２層ＤＶＤでは、第１の情報層であるレイヤＬ０に対応するＦＥＳカーブの部分と第２の情報層であるレイヤＬ１に対応するＦＥＳカーブの部分とが重なる領域が存在し、レイヤＬ０のマイナス側レベルやレイヤＬ１のプラス側レベルが低下する場合がある。このような、ＦＥＳカーブでは特にレイヤＬ１において良好なフォーカス制御を行うことができない。
【００２６】
よって、ステップＳ１０４で取得されたＦＥＳカーブから、投入された光ディスクＤが層間の薄い２層ＤＶＤであるか層間が十分に離れている通常の２層ＤＶＤであるかを判別する。
【００２７】
先ずステップＳ１０６として、判別部６１ａは取得されたＦＥＳカーブの第１の情報層レイヤＬ０のプラス側最大レベルＦＥＬ０（＋）とマイナス側最大レベルＦＥＬ０（−）と第２の情報層レイヤＬ１のプラス側最大レベルＦＥＬ１（＋）とマイナス側最大レベルＦＥＬ１（−）とをそれぞれ取得する。
【００２８】
次に、判別部６１ａは以下の第１の判別条件、及び、第２の判別条件のうちの、少なくとも一方の条件を満たすか否かを判別し、満たす場合に層間の薄い２層ＤＶＤと判別する（判別ステップＳ１０８）。尚、判別ステップＳ１０８は、第１の判別条件と第２の判別条件の双方を満たす場合に層間の薄い２層ＤＶＤと判別しても良いし、第１の判別条件もしくは第２の判別条件のいずれか一方のみで判別を行っても良い。さらに後述の第３の判別条件を加え、第３の判別条件と第１の判別条件、もしくは、第３の判別条件と第２の判別条件、もしくは、３つの判別条件を満たす場合に層間の薄い２層ＤＶＤと判別するようにしても良い。第３の判別条件も用いれば、より精度よく層間の薄い２層ディスクであるか否かを判別することができる。
【００２９】
判別ステップＳ１０８における第１の判別条件は、レイヤＬ０及びレイヤＬ１のＦＥＳカーブバランス値ＳＢＡＬ（Ｌ０）、ＳＢＡＬ（Ｌ１）をそれぞれ、
ＳＢＡＬ（Ｌ０）＝（ＦＥＬ０（＋）−ＦＥＬ０（−））／（ＦＥＬ０（＋）＋ＦＥＬ０（−））×１００（％）
ＳＢＡＬ（Ｌ１）＝（ＦＥＬ１（＋）−ＦＥＬ１（−））／（ＦＥＬ１（＋）＋ＦＥＬ１（−））×１００（％）
として算出し、両者の差が所定の閾値Ａを超えた場合、即ち
ＳＢＡＬ（Ｌ０）−ＳＢＡＬ（Ｌ１）＞Ａ  
の場合に層間の薄い２層ＤＶＤと判別する。このときの閾値Ａは３０％〜４０％程度が好ましく、３２％とすることが特に好ましい。この第１の判別条件は層間の薄い２層ＤＶＤではレイヤＬ０とレイヤＬ１のＦＥＳカーブバランス値の差が大きいことに着目した判別条件である。尚、上記の閾値Ａ及び後述の閾値Ｂ、閾値Ｃの値は例であり、市場に出回っている２層の光ディスクの層間の薄さ分布が変化すれば、これに応じて閾値Ａ、閾値Ｂ、閾値Ｃの値も設定される。
【００３０】
第２の判別条件は、ＳＢＡＬ（Ｌ１）  の値が所定の閾値Ｂに満たない場合、即ち
ＳＢＡＬ（Ｌ１）＜Ｂ
の場合に層間の薄い２層ＤＶＤと判別する。このときの閾値Ｂは−２０％〜−３０％程度が好ましく、−２３％とすることが特に好ましい。この第２の判別条件は層間の薄い２層ＤＶＤでは特にレイヤＬ１のＦＥＳカーブバランス値がマイナス側に大きいことに着目した判別条件である。
【００３１】
第３の判別条件は、第１の情報層のプラス側最大レベルＦＥＬ０（＋）と第２の情報層のプラス側最大レベルＦＥＬ１（＋）との比が所定の閾値Ｃを超えた場合、即ち
ＦＥＬ０（＋）／ＦＥＬ１（＋）×１００＞Ｃ
の場合に層間の薄い２層ＤＶＤと判別する。このときの閾値Ｃは２００％〜３００％程度が好ましく、２５０％とすることが特に好ましい。この第３の判別条件は、層間の薄い２層ＤＶＤではＦＥＬ１（＋）の値が小さく、よってＦＥＬ０（＋）の値とＦＥＬ１（＋）の値の比が極端に大きくなることに着目した判別条件である。ただし、現状ではレイヤＬ０の反射率がレイヤＬ１の反射率よりも大きな光ディスクＤが存在しており、このような光ディスクＤでは層間距離に関わらず第３の判別条件が成立する可能性がある。よって、第３の判別条件は第１の判別条件もしくは第２の判別条件と組み合わせて使用することが好ましい。
【００３２】
判別ステップＳ１０８で光ディスクＤが層間の薄い２層ＤＶＤであると判別された場合には特殊モードが適用となり（ステップＳ１１０）、その後、次処理に移行する（ステップＳ１１２）。そして、光ディスクＤの再生時には特殊モードによるフォーカス制御が行われる。また、判別ステップＳ１０８で光ディスクＤが層間の薄い２層ＤＶＤではないと判別された場合、ステップＳ２０４に移行して通常の２層ＤＶＤに応じた次処理が行われる。
【００３３】
ここで、特殊モードによるフォーカス制御とは、奥側のレイヤＬ１のフォーカス制御に予め制御部６１のメモリ６１ｂに記録されているフォーカスバランス値を用いるものである。即ち、制御部６１は、判別部６１ａで光ディスクＤが層間の薄い２層ＤＶＤであると判別された場合にはメモリ６１ｂに記録されているフォーカスバランス値を用い、通常の２層ＤＶＤと判別された場合には従来どおりの手法で得られるフォーカスバランス値を用いてフォーカス制御を行う。つまり、制御部６１は、判別部６１ａの判別結果に応じて異なるフォーカスバランス値を用いてフォーカス制御を行う。
【００３４】
ここで、図３に示すような層間の薄い２層ＤＶＤのＦＥＳカーブは、特に図３（ａ）のような場合であるとＦＥＬ１（＋）のレベルが非常に小さいため、光ディスク装置における通常のデフォーカス調整では適正なフォーカスバランス値が得られず、フォーカスサーボがはずれるなどして再生・起動処理に不具合が生じる可能性がある。
【００３５】
また、ここでレイヤＬ１におけるフォーカスバランス値とデジタルジッタの関係を図４のグラフに示す。尚、デジタルジッタとはＲＦ信号の再生品質を数値で表したものであり、値が大きいほど再生品質が良いことを示している。また、デジタルジッタはジッタと関連がある値である。そして、図４のグラフにおいて、実線は層間の薄い２層ＤＶＤのレイヤＬ１のデジタルジッタの変化を示し、破線は層間が十分に広い２層ＤＶＤのレイヤＬ１のデジタルジッタの変化を示している。図４より、破線で示す層間が十分に広い２層ＤＶＤではフォーカスバランス値の変化によるデジタルジッタの低下が緩やかであり、特にフォーカスバランス値がゼロ付近ではデジタルジッタはさほど低下しない。従って、層間が十分に広い２層ＤＶＤではデフォーカス調整を行わずともレイヤＬ１のデータの読み出すことが可能である。しかしながら、実線で示す層間の薄い２層ＤＶＤの場合、フォーカスバランス値の変化によるデジタルジッタの低下が急峻であり、デフォーカス調整を行わない、即ちフォーカスバランス値が“０”の状態ではデジタルジッタが低くデータの読み出しができない場合がある。よって、層間の薄い２層ＤＶＤのレイヤＬ１のフォーカス制御では適正なフォーカスバランス値を用いて再生する必要がある。ただし、前述のように層間の薄い２層ＤＶＤでは通常のデフォーカス調整で適正なフォーカスバランス値が得られない可能性がある。
【００３６】
本発明に係る光ディスク装置、フォーカス制御方法及び制御プログラムでは、層間の薄い２層ＤＶＤのレイヤＬ１にアクセスする場合には、前述のように予め記録されている適正なフォーカスバランス値を用いるため、層間の薄い２層ＤＶＤのレイヤＬ１も良好に再生処理することができる。
【００３７】
尚、特殊モードにおけるレイヤ１のフォーカスバランス値は実測により取得する。例えば、図４に示す測定結果が実測により得られた場合、レイヤＬ１の再生時に用いるフォーカスバランス値はジッタ値がピーク近傍をとる値とする。例えば、図４の場合にはフォーカスバランス値を２６とする。尚、この特殊モードに用いるフォーカスバランス値は使用する光ピックアップ装置７０、制御部６１のマイクロコンピュータ、その他の装置構成により変化するため、光ディスク装置６０の装置構成が異なる場合にはその都度、測定して設定することが好ましい。このように、適切なフォーカスバランス値とＦＥＳカーブとが関係があるため、前述の条件に基づいて判別することで、適切なフォーカスバランス値を選択することができる。適切なフォーカスバランス値は光ピックアップ装置７０の特性などによっても異なるため、通常のディスクおよび層間の薄いディスクそれぞれについて、事前に最適な値を設定しておくことが好ましい。最適な値は、上述のように、フォーカスバランス値に応じた記録特性や再生品質の特性を測定することで決めることができる。
【００３８】
さらに、層間の薄い２層ＤＶＤであると判別された場合、レイヤＬ０とレイヤＬ１との間でレーザ光の焦点位置を移動させるフォーカスジャンプの際のフォーカス駆動信号に予め設定されたパターンを用いるようにしても良い。
【００３９】
ここで、図５に層間が十分に広い通常の２層ＤＶＤにおけるＦＥ信号とレイヤＬ０からレイヤＬ１へフォーカスジャンプする際のフォーカス駆動信号のタイミングチャートの例を示す。尚、図５における（ａ）がＦＥ信号を示し、（ｂ）がフォーカス駆動信号を示している。先ず、レイヤＬ０の合焦位置（Ｌ０Ｆｐ）において、時間ｔ０でフォーカスジャンプが指示されると、フォーカス駆動信号の加速パルスがオンする。これにより、合焦位置が奥側のレイヤＬ１に向って高速に移動する。これに伴いＦＥ信号もＦＥＳカーブに沿って変化する。そして、ＦＥ信号がレイヤＬ０のマイナス側最大レベルＦＥＬ０（−）よりも小さい所定のマイナス側レベルＶａｐｅとなった時間ｔ１において加速パルスがオフする。これにより、合焦位置の移動が減速する。次に、ＦＥ信号がレイヤＬ１のプラス側最大レベルＦＥＬ１（＋）よりも小さい所定のプラス側レベルＶｂｐｓとなった時間ｔ２においてブレーキパルスがオンする。これにより、合焦位置の移動がさらに減速する。最後にＦＥ信号がレイヤＬ１のプラス側最大レベルＦＥＬ１（＋）よりも小さい所定のプラス側レベルＶｂｐｅとなった時間ｔ３においてブレーキパルスがオフする。これにより、レーザ光の合焦位置がレイヤＬ１の合焦位置（Ｌ１Ｆｐ）に移動して停止する。
【００４０】
しかしながら、層間の薄い２層ＤＶＤでは図３に示すように、レイヤＬ０のマイナス側最大レベルＦＥＬ０（−）やレイヤＬ１のプラス側最大レベルＦＥＬ１（＋）の値が小さく、各レベルＶａｐｅ、Ｖｂｐｓ、Ｖｂｐｅに満たないか近接している場合がある。このような場合にはフォーカス駆動信号における加速パルスのオフ、及びブレーキパルスのオン、オフが適正に行われずフォーカスジャンプが正常に行われない可能性がある。
【００４１】
よって、光ディスクＤが層間の薄い２層ＤＶＤであると判別された場合には、通常の２層ＤＶＤのときとは異なり、予め設定された時間ｔ１、ｔ２、ｔ３のパターンで加速パルスのオフ、及びブレーキパルスのオン、オフを行う。この構成によれば、層間の薄い２層ＤＶＤであっても正常なフォーカスジャンプを行うことができる。また、レイヤＬ１からレイヤＬ０へのフォーカスジャンプに際しても、同様に層間の薄い２層の光ディスクに適したパターンのフォーカス駆動信号を設定しておくことで、レイヤＬ１からレイヤＬ０へのフォーカスジャンプも正常に行うことができる。フォーカス位置を移動させる速度が一定であれば、前述のように時間ｔ１、ｔ２、ｔ３を異ならせることで、異なるパターンのフォーカス駆動信号を用いたフォーカスジャンプにすることができる。尚、層間の薄い２層ＤＶＤであると判別したときとしていないときとで、加速パルスおよびブレーキパルスを制御するための閾値であるＶａｐｅ，Ｖｂｐｓ，Ｖｂｐｅの値を異ならせることで、異なるパターンのフォーカス駆動信号を用いたフォーカスジャンプをするようにしてもよい。
【００４２】
また、適切なフォーカスジャンプのパターン設定は光ピックアップ装置７０の特性などによっても異なるため、通常のディスクおよび層間の薄いディスクそれぞれについて、事前に最適なパターンを設定しておくことが好ましい。最適なパターンは、ＦＥＳカーブを測定したり、マニュアル操作で実際にフォーカスジャンプを実行したりしてその成否を調べることで決定することができる。
【００４３】
以上のように、本発明に係る光ディスク装置、フォーカス制御方法及び制御プログラムによれば、ＦＥＳカーブから層間の薄い２層の光ディスクを判別し、層間の薄い２層の光ディスクの場合には予め取得された適正なフォーカスバランス値を用いてフォーカス制御を行う。従って、特殊な光ピックアップ装置７０や特別な回路を用いなくとも層間の薄い２層の光ディスクを良好に再生することができる。また、層間の薄い２層の光ディスクと判別された場合にはこれに適したパターンのフォーカス駆動信号を用いることで、層間の薄い２層の光ディスクにおいても正常なフォーカスジャンプを行うことができる。
【００４４】
尚、上記の光ディスク装置６０の各部の動作、回路構成、トラッキング制御方法、フォーカス制御方法等は一例であるから特にこれに限定されるものではなく、本発明は本発明の要旨を逸脱しない範囲で変更して実施することが可能である。また、本発明は制御部６１の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００４５】
６０    光ディスク装置
６１    制御部
６１ａ  判別部
６１ｂ  メモリ
７０    光ピックアップ装置
Ｄ      光ディスク
Ｌ０    第１の情報層
Ｌ１    第２の情報層
ＦＥＬ０（＋）、ＦＥＬ１（＋）    プラス側最大レベル
ＦＥＬ０（−）、ＦＥＬ１（−）    マイナス側最大レベル
【図１】
2012069212.tif 000003
【図２】
2012069212.tif 000004
【図３】
2012069212.tif 000005
【図４】
2012069212.tif 000006
【図５】
2012069212.tif 000007
【図６】
2012069212.tif 000008
【手続補正書】
【提出日】平成23年7月21日(2011.7.21)
【手続補正１】
【補正対象書類名】明細書
【補正対象項目名】００１７
【補正方法】変更
【補正の内容】
【００１７】
また、ＦＥ信号検出回路９０は多分割型フォトディテクタ８３からの出力信号を受けて周知の非点収差法等に基づいて演算処理を行いフォーカスエラー信号ＦＥをＡ／Ｄ変換器を介して制御部６１に出力する。制御部６１はこのフォーカスエラー信号ＦＥに基づいてフォーカス制御駆動信号ＦＤを生成し、Ｄ／Ａ変換器を介してフォーカスドライブ回路９３に出力する。フォーカスドライブ回路９３はこのフォーカス制御駆動信号ＦＤに基づいてフォーカスコイル８０を制御し、これにより対物レンズ７８が移動（フォーカス動作）して光ディスクＤに対するフォーカス制御が行われる。このフォーカス制御の際、再生品質の向上のためＦＥＳカーブに基づいて取得されたフォーカスバランス値が用いられる。尚、後述するように光ディスクＤが層間の薄い２層の光ディスクと判別された場合には、奥側の第２の情報層レイヤＬ１のフォーカス制御には予め設定されたフォーカスバランス値が用いられる。尚、フォーカスバランス値とは、特開2008-299957（特願2007-145273）号公報にもその記載がある通り、周知の値である。